(57)【要約】【課題】広域通信網に接続して再生情報を取得する機能を備えた画像音声装置であって、簡易な操作により再生情報の取得及び再生が可能な画像音声装置を提供する。【解決手段】本発明の画像音声装置は、画像または音声を含む再生情報の再生処理を行う再生処理部と、再生情報の題名を取得する題名取得部と、通信網に接続されて通信を行う通信部と、操作指示を受け付ける操作部とを備える。また再生処理部による再生処理が行われている状態において操作部に対する所定操作を検知した場合に、この再生情報の題名を題名取得部により取得し、取得した題名と一部または全部が一致する題名を持つ再生情報を通信網から取得する再生情報取得部を備える。【選択図】図３
2013165477.tif 000002
【特許請求の範囲】
【請求項１】
画像または音声を含む再生情報の再生処理を行う再生処理部と、
再生情報の題名を取得する題名取得部と、
通信網に接続されて通信を行う通信部と、
操作指示を受け付ける操作部と、
前記再生処理部による再生処理が行われている状態において前記操作部に対する予め定められた操作を検知した場合に、該再生情報の題名を前記題名取得部により取得し、該題名と一部または全部が一致する題名を持つ再生情報を、前記通信部を用いて通信網から取得する再生情報取得部と、を備えること
を特徴とする画像音声装置。
【請求項２】
前記再生情報取得部は、前記再生処理部による再生処理が行われている状態において前記操作部に対する予め定められた操作を検知した場合に、該再生情報の題名を前記題名取得部により取得し、該題名と一部または全部が一致する題名を持ち、且つ該再生情報と異なる管理情報を持つ再生情報を、前記通信部を用いて通信網から取得すること
を特徴とする請求項１に記載の画像音声装置。
【請求項３】
前記再生情報取得部は、前記管理情報として、前記再生情報の話数、前記再生情報の副題名、または前記再生情報の放送日時を示す情報を用いること
を特徴とする請求項２に記載の画像音声装置。
【請求項４】
前記再生情報取得部は、前記再生情報の取得に成功した場合に、取得した前記再生情報の自動再生を行うよう前記再生処理部を制御するか、或いは、取得した前記再生情報の再生を行うか否かの選択を前記操作部により受け付け、再生が選択された場合に前記再生情報の再生を行うよう前記再生処理部を制御すること
を特徴とする請求項３に記載の画像音声装置。
【請求項５】
前記画像音声装置は、放送波を受信して放送波から前記再生情報を取得する放送受信部を備え、
前記再生情報取得部は、前記放送受信部による前記再生情報の取得が行われている状態において前記操作部に対する予め定められた操作を検知した場合に、該再生情報の題名を前記題名取得部により取得し、該題名と一部または全部が一致する題名の再生情報を前記通信部を用いて通信網から取得すること
を特徴とする請求項４に記載の画像音声装置。
【請求項６】
前記画像音声装置は、前記再生情報を記録する記録部を備え、
前記再生情報取得部は、前記記録部に対する前記再生情報の記録処理が行われている状態において前記操作部に対する予め定められた操作を検知した場合に、該再生情報の題名を前記題名取得部により取得し、該題名と一部または全部が一致する題名の再生情報を前記通信部を用いて通信網から取得すること
を特徴とする請求項５に記載の画像音声装置。
【請求項７】
前記再生情報取得部は、前記記録部または予め定められた記録媒体に記録された前記再生情報の再生処理が行われている状態において前記操作部に対する予め定められた操作を検知した場合に、該再生情報の題名を前記題名取得部により取得し、該題名と一部または全部が一致する題名の再生情報を前記通信部を用いて通信網から取得すること
を特徴とする請求項６に記載の画像音声装置。
【請求項８】
前記再生情報取得部は、前記通信部を用いて、広域通信網において前記再生情報の配信を行う情報配信システムに接続して前記再生情報を取得すること
を特徴とする請求項７に記載の画像音声装置。
【請求項９】
前記画像音声装置は、電子番組表を取得する電子番組表取得部を備え、
前記題名情報取得部は、前記電子番組表を用いて前記題名情報を取得すること
を特徴とする請求項８に記載の画像音声装置。
【請求項１０】
前記題名情報取得部は、前記通信部を用いて、通信網に接続された情報処理装置より前記題名情報を取得すること
を特徴とする請求項９に記載の画像音声装置。
【請求項１１】
光ディスクに記録されている画像または音声を含む再生情報の再生処理を行う再生処理部と、
前記再生情報の題名を前記光ディスクより取得する題名取得部と、
通信網に接続されて通信を行う通信部と、
操作指示を受け付ける操作部と、
前記操作部に対する予め定められた操作を検知した場合に、前記光ディスクに記録されている前記再生情報の題名を前記題名取得部により取得し、取得した前記題名と一部または全部が一致する名称を持つ情報を、前記通信部を用いて通信網から取得する再生情報取得部と、を備えること
を特徴とする画像音声装置。
【請求項１２】
前記再生情報取得部は、前記題名取得部により取得した題名と一部または全部が一致する名称を持ち、且つ管理情報が異なる情報を、前記通信部を用いて通信網から取得し、
前記再生情報取得部は、前記管理情報として、前記再生情報の話数、前記再生情報の副題名、または前記再生情報の放送日時を示す情報を用いること
を特徴とする請求項１１に記載の画像音声装置。
【請求項１３】
前記再生情報取得部は、前記情報の取得に成功した場合に、取得された前記情報を示す通知を行い、取得した前記情報の再生を行うか否かの選択を前記操作部により受け付け、再生が選択された場合に前記情報の再生を行うよう前記再生処理部を制御すること
を特徴とする請求項１２に記載の画像音声装置。
【発明の詳細な説明】
【技術分野】
【０００１】
本発明は、画像または音声の再生を行う画像音声装置に関するものであり、特に広域通信網に接続して情報を取得する機能を備えた画像音声装置に関する。
【背景技術】
【０００２】
近年、デジタル技術の多機能化、多様化により、ＨＤＤ（Hard Disk Drive）レコーダやＤＶＤ（Digital Versatile Disc）レコーダ等の様々な画像音声装置が普及している。これらの画像音声装置は、放送波に含まれる画像／音声デジタルデータをデコードすることにより、画像／音声信号をテレビジョン装置やモニタ、又はスピーカ等に出力する。
【０００３】
また近年の画像音声装置は、放送波の受信やＨＤＤへのデータ保存だけでなく、インターネット等の広域通信網を利用して動画を取得して再生する機能等、様々な機能を備えたものが普及している。
【０００４】
例えば、ＥＰＧ（Electronic Program Guide）を用いた、番組情報取得機能を備えた画像音声装置が実用化されている。ＥＰＧを用いることにより、番組情報を一覧表示することが可能である。ユーザは一覧表示された番組情報、例えば題名や放送日時等を用いて、放送番組の内容を確認したり、放送番組の視聴／録画予約を行ったりすることができる。
【０００５】
上記に関連して、視聴者端末装置から所定の情報を検索し、この情報に属する再生情報をインターネットを介して取得するインターネット放送システムや、ネットワークを通じて取得可能な番組のリストをユーザに提供する番組ガイドシステムが開示・提案されている（例えば特許文献１及び特許文献２を参照）。
【先行技術文献】
【特許文献】
【０００６】
【特許文献１】特開２００３−２９６５９５号公報
【特許文献２】特開２００９−１８２９８５号公報
【発明の概要】
【発明が解決しようとする課題】
【０００７】
しかしながら上記の技術では、インターネット等の広域通信網を介して放送番組等の再生情報を取得することはできるが、再生情報の取得に際しては、ユーザが所望する再生情報を検索し、検索結果を確認し、検索結果の中から再生情報を選択する必要があった。
【０００８】
本発明は、上記の問題を鑑みてなされたものであり、広域通信網に接続して再生情報を取得する機能を備えた画像音声装置であって、簡易な操作により再生情報の取得及び再生が可能な画像音声装置を提供することを目的とする。
【課題を解決するための手段】
【０００９】
上記目的を達成するために本発明の画像音声装置は、画像または音声を含む再生情報の再生処理を行う再生処理部と、再生情報の題名を取得する題名取得部と、通信網に接続されて通信を行う通信部と、操作指示を受け付ける操作部と、前記再生処理部による再生処理が行われている状態において前記操作部に対する予め定められた操作を検知した場合に、該再生情報の題名を前記題名取得部により取得し、該題名と一部または全部が一致する題名を持つ再生情報を、前記通信部を用いて通信網から取得する再生情報取得部と、を備えることを特徴とする。
【００１０】
これによると、本発明の画像音声装置は、画像または音声を含む再生情報の再生処理を行う再生処理部と、再生情報の題名を取得する題名取得部と、通信網に接続されて通信を行う通信部と、操作指示を受け付ける操作部とを備える。また再生処理部による再生処理が行われている状態において操作部に対する所定操作を検知した場合に、この再生情報の題名を題名取得部により取得し、取得した題名と一部または全部が一致する題名を持つ再生情報を通信網から取得する再生情報取得部を備える。
【００１１】
また上記目的を達成するために本発明の画像音声装置は、前記再生情報取得部が、前記再生処理部による再生処理が行われている状態において前記操作部に対する予め定められた操作を検知した場合に、該再生情報の題名を前記題名取得部により取得し、該題名と一部または全部が一致する題名を持ち、且つ該再生情報と異なる管理情報を持つ再生情報を、前記通信部を用いて通信網から取得することを特徴とする。
【００１２】
これによると、再生情報取得部は、再生処理部による再生処理が行われている状態において操作部に対する所定操作を検知した場合に、この再生情報の題名を題名取得部により取得し、取得した題名と一部または全部が一致する題名を持ち、且つこの再生情報と異なる管理情報を持つ再生情報を通信網から取得する。
【００１３】
また上記目的を達成するために本発明の画像音声装置は、前記再生情報取得部が、前記管理情報として、前記再生情報の話数、前記再生情報の副題名、または前記再生情報の放送日時を示す情報を用いることを特徴とする。
【００１４】
これによると、再生情報取得部は、上記の管理情報として、再生情報の話数、再生情報の副題名、または再生情報の放送日時を示す情報を用いる。
【００１５】
また上記目的を達成するために本発明の画像音声装置は、前記再生情報取得部が、前記再生情報の取得に成功した場合に、取得した前記再生情報の自動再生を行うよう前記再生処理部を制御するか、或いは、取得した前記再生情報の再生を行うか否かの選択を前記操作部により受け付け、再生が選択された場合に前記再生情報の再生を行うよう前記再生処理部を制御することを特徴とする。
【００１６】
これによると、再生情報取得部は、再生情報の取得に成功した場合に、取得した再生情報の自動再生を行うよう再生処理部を制御するか、或いは、取得した再生情報の再生を行うか否かの選択を操作部により受け付け、再生が選択された場合に再生情報の再生を行うよう再生処理部を制御する。
【００１７】
また上記目的を達成するために本発明の画像音声装置は、放送波を受信して放送波から前記再生情報を取得する放送受信部を備え、前記再生情報取得部は、前記放送受信部による前記再生情報の取得が行われている状態において前記操作部に対する予め定められた操作を検知した場合に、該再生情報の題名を前記題名取得部により取得し、該題名と一部または全部が一致する題名の再生情報を前記通信部を用いて通信網から取得することを特徴とする。
【００１８】
これによると、画像音声装置は、放送波を受信して放送波から再生情報を取得する放送受信部を備える。再生情報取得部は、放送受信部による再生情報の取得が行われている状態において操作部に対する所定操作を検知した場合に、この再生情報の題名を題名取得部により取得し、この題名と一部または全部が一致する題名の再生情報を通信網から取得する。
【００１９】
また上記目的を達成するために本発明の画像音声装置は、前記再生情報を記録する記録部を備え、前記再生情報取得部は、前記記録部に対する前記再生情報の記録処理が行われている状態において前記操作部に対する予め定められた操作を検知した場合に、該再生情報の題名を前記題名取得部により取得し、該題名と一部または全部が一致する題名の再生情報を前記通信部を用いて通信網から取得することを特徴とする。
【００２０】
これによると、画像音声装置は、再生情報を記録する記録部を備える。再生情報取得部は、記録部に対する再生情報の記録処理が行われている状態において操作部に対する所定操作を検知した場合に、この再生情報の題名を題名取得部により取得し、この題名と一部または全部が一致する題名の再生情報を通信網から取得する。
【００２１】
また上記目的を達成するために本発明の画像音声装置は、前記再生情報取得部が、前記記録部または予め定められた記録媒体に記録された前記再生情報の再生処理が行われている状態において前記操作部に対する予め定められた操作を検知した場合に、該再生情報の題名を前記題名取得部により取得し、該題名と一部または全部が一致する題名の再生情報を前記通信部を用いて通信網から取得することを特徴とする。
【００２２】
これによると、再生情報取得部は、記録部または所定の記録媒体に記録された再生情報の再生処理が行われている状態において、操作部に対する所定操作を検知した場合に、この再生情報の題名を題名取得部により取得し、この題名と一部または全部が一致する題名の再生情報を通信網から取得する。
【００２３】
また上記目的を達成するために本発明の画像音声装置は、前記再生情報取得部が、前記通信部を用いて、広域通信網において前記再生情報の配信を行う情報配信システムに接続して前記再生情報を取得することを特徴とする。
【００２４】
これによると、再生情報取得部は、通信部を用いて、広域通信網において再生情報の配信を行う情報配信システムに接続して再生情報を取得する。
【００２５】
また上記目的を達成するために本発明の画像音声装置は、電子番組表を取得する電子番組表取得部を備え、前記題名情報取得部は、前記電子番組表を用いて前記題名情報を取得することを特徴とする。
【００２６】
これによると、画像音声装置は、電子番組表を取得する電子番組表取得部を備える。題名情報取得部は、電子番組表を用いて題名情報を取得する。
【００２７】
また上記目的を達成するために本発明の画像音声装置は、前記題名情報取得部が、前記通信部を用いて、通信網に接続された情報処理装置より前記題名情報を取得することを特徴とする。
【００２８】
これによると、題名情報取得部は、通信部を用いて、通信網に接続された情報処理装置より題名情報を取得する。
【００２９】
また上記目的を達成するために本発明の画像音声装置は、光ディスクに記録されている画像または音声を含む再生情報の再生処理を行う再生処理部と、前記再生情報の題名を前記光ディスクより取得する題名取得部と、通信網に接続されて通信を行う通信部と、操作指示を受け付ける操作部と、前記操作部に対する予め定められた操作を検知した場合に、前記光ディスクに記録されている前記再生情報の題名を前記題名取得部により取得し、取得した前記題名と一部または全部が一致する名称を持つ情報を、前記通信部を用いて通信網から取得する再生情報取得部と、を備えることを特徴とする。
【００３０】
これによると、操作部に対して所定の操作がなされた場合に、光ディスクに記録されている再生情報の題名を取得し、取得した題名と一部または全部が一致する名称を持つ情報を通信網から取得する。このため、光ディスクに記録されている再生情報に関連する情報、例えばシリーズ映画であれば続編の再生情報や、或いは再生情報に関連するＣＤや書籍等のマーケット情報等を取得して、ユーザに通知することができる。
【００３１】
また上記目的を達成するために本発明の画像音声装置は、前記再生情報取得部が、前記題名取得部により取得した題名と一部または全部が一致する名称を持ち、且つ管理情報が異なる情報を、前記通信部を用いて通信網から取得し、前記再生情報取得部は、前記管理情報として、前記再生情報の話数、前記再生情報の副題名、または前記再生情報の放送日時を示す情報を用いることを特徴とする。
【００３２】
これによると、光ディスクに記録されている再生情報に関連する情報を取得する際に、光ディスクの再生情報とは話数、副題名、または放送日時が異なる再生情報を取得する。例えば、複数話からなるテレビドラマが光ディスクに記録されている場合に、光ディスクに記録されている話数（例えば１〜５話）とは異なる話数（例えば６話以降）を取得する。これにより、光ディスクに記録されている再生情報を重複して取得してしまうことを回避できる。
【００３３】
また上記目的を達成するために本発明の画像音声装置は、前記再生情報取得部が、前記情報の取得に成功した場合に、取得された前記情報を示す通知を行い、取得した前記情報の再生を行うか否かの選択を前記操作部により受け付け、再生が選択された場合に前記情報の再生を行うよう前記再生処理部を制御することを特徴とする。
【００３４】
これによると、関連する情報の取得に成功した場合に、ユーザがその旨を即座に認識することができるとともに、簡易な操作により取得した情報の再生を行うことができる。
【発明の効果】
【００３５】
本発明によれば、再生情報の再生中または録画中において、この再生情報を広域通信網から取得することが可能である。これにより例えば、ユーザが放送番組の途中から視聴を開始した場合に、簡易な操作により広域通信網から同題名の再生情報を取得し、再生情報の冒頭から視聴を行うことが可能である。また広域通信網における情報配信システムの運営者の観点からすれば、情報配信システムの新規利用者の確保を、より効率的に行うことができる。
【図面の簡単な説明】
【００３６】
【図１】本発明の画像音声装置が備える機能部の構成を示すブロック図である。
【図２】本発明の画像音声装置の内部構成を示すブロック図である。
【図３】本発明の取得再生処理を示すフロー図である。
【図４】本発明の画像音声装置が出力する確認画面を示す画面図である。
【図５】本発明の画像音声装置が出力する確認画面を示す画面図である。
【図６】本発明の画像音声装置が出力する確認画面を示す画面図である。
【図７】本発明の取得再生処理を示すフロー図である。
【発明を実施するための形態】
【００３７】
以下に本発明の実施形態を、図面を参照しながら説明する。なお、ここで示す実施形態は一例であり、本発明はここに示す実施形態に限定されるものではない。
〈１．内部構成について〉
【００３８】
図２は、本発明の一実施形態に係るＨＤＤレコーダ１（＝画像音声装置）の内部構成を示すブロック図である。なお、図２における矢印線は画像／音声データの流れを示している。また、矢印のない直線は、制御部１１が各装置に対する制御信号等を送受信するための通信バスを示している。
【００３９】
ＨＤＤレコーダ１は少なくとも、制御部１１、メモリ１２、操作部１３、フラッシュメモリ１４、ＨＤＤ１５（＝記録部）、光ディスクドライブ１６、放送受信部１７、信号処理部１８（＝再生処理部）、ＯＳＤ（On-Screen Display）処理部１９、通信Ｉ／Ｆ（Interface）２０（＝通信部）、及び外部接続端子２１を含むように構成されている。なお外部接続端子２１により接続される表示装置として、ディスプレイ２が存在する。また、通信Ｉ／Ｆ２０により接続される通信装置として、ブロードバンドルータ３が存在する。
【００４０】
制御部１１は、ＨＤＤレコーダ１の各部の駆動を制御することにより、画像／音声の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、後述するＥＰＧ取得部１１ａ〜コンテンツ取得部１１ｄ（図１）を備えている。
【００４１】
メモリ１２は、ＨＤＤレコーダ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００４２】
操作部１３は、ユーザがＨＤＤレコーダ１に対して、画像／音声の再生指示等を行うためのものである。操作部１３は、例えばＨＤＤレコーダ１のハウジングに設けられた複数のボタンや、不図示のリモコン装置等を含む。操作部１３はこれらの装置により、ユーザ操作を受け付ける。ユーザ操作が受け付けられると、制御部１１は、操作内容に基づいて再生処理や記録処理等を行う。
【００４３】
フラッシュメモリ１４は、ＥＥＰＲＯＭの一種で、デバイスの利用者が書き込み／消去可能なＲＯＭである。フラッシュメモリ１４は回路基板に実装したままで書き込み、消去ができるため、利用時に書き換えが必要な用途、例えば装置の動作設定データや、利用者固有の情報等を保存するのに用いられる。
【００４４】
ＨＤＤ１５は、デジタルデータを記録する磁気記録媒体である。本実施形態では主に、放送波に含まれる画像／音声データ（＝再生情報）から生成される録画データや、圧縮処理により生成された圧縮録画データを記録するのに用いられる。
【００４５】
光ディスクドライブ１６は、ＣＤ（Compact Disc）メディア、或いはＤＶＤ（Digital Versatile Disc）メディア等の光ディスクに対して光学的に各種データの読み取りを行うための光学装置である。光ディスクドライブ１６は、光ピックアップ（不図示）の制御を行うことにより、光ディスクに光ビームを照射して、光ディスクに記録された音声情報、画像情報等の各種情報の読み取りを行う。この際、光ピックアップの駆動制御やフォーカス制御、或いはチルト制御等の各種制御を行う。
【００４６】
放送受信部１７は、外部のアンテナ（不図示）に接続されてデジタル／アナログ放送の選局、受信、周波数変換、増幅、復調等を行う。放送受信部１７は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００４７】
例えばデジタル放送を受信する場合、放送受信部１７に含まれるデジタルチューナが、中間周波信号の増幅及び検波を行う。これにより、ＭＰＥＧ２方式のデジタル信号であるＴＳ（＝Transport Stream）の取得を行う。なおＴＳとは、複数のコンテンツ（番組）の音声ＰＥＳ（Packetized Elementary Stream）、画像ＰＥＳ、及び付加情報を固定長のＴＳパケットに分割してつなぎ合わせたものである。信号処理部１８へ与えられて画像／音声信号に変換される。なお、ＴＳを変換せずＨＤＤ１５へ記録することも可能である。この場合、信号処理部１８はＴＳのスルーのみを行う。
【００４８】
信号処理部１８は、放送受信部１７が生成したＴＳや、光ディスクドライブ１６が光ディスクより読み出したデジタルデータを入力し、音声情報を含む音声デジタル信号と、画像情報を含む画像デジタル信号とに分離する多重分離部である。具体的には例えば、放送受信部１７より生成されたＴＳを、ＴＳパケットに分割する。そしてＴＳパケットを再結合することにより、音声／画像のＰＥＳを生成する。
【００４９】
そしてＰＥＳを結合することにより、ＥＳ（Elementary Stream＝符号化された音声／画像データ）を生成する。さらに信号処理部１８はＥＳの復号を行い、各種デジタル信号に変換する。復号により得られたデジタル信号は、記録する場合はＨＤＤ１５へ与えられる。またディスプレイ２等に出力する場合は、外部接続端子２１へ与えられる。
【００５０】
ＯＳＤ処理部１９は、画像信号を生成する機能部である。ＯＳＤ処理部１９は、ＨＤＤレコーダ１が出力すべき情報をユーザが視認できる画像データに変換し、変換した画像データをディスプレイ２に表示するための画像信号を生成する。生成された画像信号は、外部接続端子２１より出力される。
【００５１】
通信Ｉ／Ｆ２０は、ＨＤＤレコーダ１を通信ネットワークと接続するための物理的なインタフェースである。通信Ｉ／Ｆ２０は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。なお、電話通信網に接続するためのアナログ接続端子やＩＳＤＮ通信網に接続するためのＩＳＤＮ接続端子を備える形態であってもよい。
【００５２】
外部接続端子２１は、例えばＨＤＭＩ（High Definition Multimedia Interface）端子やＵＳＢ（Universal Serial Bus）端子等を含む、複数の入出力端子からなるインタフェースである。外部接続端子２１はこれらの入出力端子を用いて、ＨＤＤレコーダ１と外部の装置、例えばディスプレイ２を接続し、デジタル信号またアナログ信号の入出力を行う。
【００５３】
ディスプレイ２は、図示しない表示部、操作部、制御部、及び接続部を備える表示装置である。ディスプレイ２は例えば、接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
【００５４】
ブロードバンドルータ３は、複数のＩＰネットワークを相互接続するためのネットワーク中継装置である。具体的には、ＯＳＩ（Open Systems Interconnection）参照モデルでいうネットワーク層（第３層）やトランスポート層（第４層）等のプロトコルを解析して転送を行う。これにより例えば、有線ＬＡＮとインターネットとの二つのＩＰネットワークを相互に接続する役割を持つ。
〈２．機能部の構成について〉
【００５５】
ここで、本発明の一実施形態に係るＨＤＤレコーダ１が本発明の取得再生処理を実施するための各機能部の関係を、図１のブロック図を用いながら説明する。なお、図１における破線矢印線は、制御信号の流れを示している。
【００５６】
図１に示すように本発明の取得再生処理は、制御部１１が備えるＥＰＧ取得部１１ａ（＝電子番組表取得部）、通信制御部１１ｂ（＝通信部）、題名取得部１１ｃ、及びコンテンツ取得部１１ｄ（＝再生情報取得部）により実施される。
【００５７】
ＥＰＧ取得部１１ａは、信号処理部１８がＴＳより取得したＰＳＩ／ＳＩの解析を行うことにより、ＥＰＧを表示するためのコンテンツ情報を取得する。そして取得したコンテンツ情報を、ＨＤＤ１５等に記録する。或いはＥＰＧ取得部１１ａは、外部接続端子２０を用いて、通信網に接続された情報処理装置等からコンテンツ情報を取得する形態でもよい。
【００５８】
具体的には例えば、ＰＳＩ／ＳＩの一種であるＥＩＴ（Event Information Table）に含まれているコンテンツ名称、放送日時、放送内容等をコンテンツ情報として取得する。或いはＥＰＧ取得部１１ａは、所定の通信業者が行っているコンテンツ情報配信サービス、例えばＧ−ＧＵＩＤＥ等を用いて、コンテンツ情報を取得する形態でもよい。
【００５９】
通信制御部１１ｂは、通信Ｉ／Ｆ２０により接続された外部装置、例えばコンテンツサーバや情報配信サーバ等と相互通信を行うための通信制御を行う。これにより、各種情報やコンテンツを取得したり、電子メールの送受信を行ったりすることが可能である。また通信Ｉ／Ｆ２０が無線アンテナを備える場合、無線通信網を介する無線通信の制御を行う役割も持つ。
【００６０】
題名取得部１１ｃは、ユーザがコンテンツの再生／録画を行っている場合に、特定のキー操作を行ったか否かの監視を行う。なお、ここでいう再生とは、放送波を受信することにより得られるコンテンツの再生でもよいし、或いはＨＤＤ１５に記録されているコンテンツの再生でもよいし、或いは光ディスクドライブ１６によりアクセス可能なＤＶＤ等に記録されているコンテンツの再生でもよい。
【００６１】
特定のキー操作としては例えば、操作部１３に含まれるリモコン装置に予め設けられているサーチボタンが押された場合、この特定のキー操作がなされたとみなす。サーチボタンが押下された場合、サーチ対象となったコンテンツの番組名／作品名を示す題名情報を取得する。
【００６２】
題名情報の取得方法としては、例えば放送波より得られるコンテンツの再生中であれば、ＥＰＧ取得部１１ａにより取得されるコンテンツ情報を用いて取得する。或いはＤＶＤより得られるコンテンツの再生中であれば、ＤＶＤの管理データ領域に記録されている管理データを用いて取得する。
【００６３】
なお、コンテンツ情報より取得する場合、ＥＰＧ取得部１１ａが予め取得してＨＤＤ１５等に記録しているコンテンツ情報を用いる形態でもよいし、或いはサーチボタンが押された段階でＥＰＧ取得部１１ａにより新たにコンテンツ情報を取得する形態でもよい。
【００６４】
コンテンツ取得部１１ｄは、題名取得部１１ｃが判別した題名を検索キーとして、コンテンツサービスプロバイダー（ＣＳＰ）のコンテンツリストを検索する。なお、コンテンツ取得部１１ｄがアクセスするＣＳＰは、予めユーザ設定等に接続先が登録されているものとする。
【００６５】
なお、アクセス先の設定については、有料／無料のＣＳＰを複数登録可能とする形態でもよい。この場合、無料のＣＳＰを優先して検索したり、或いはより高画質のＣＳＰを優先して検索したりする形態でもよい。
【００６６】
検索結果を入手後、コンテンツ取得部１１ｄは画面上に検索結果を出力する。具体的にはコンテンツ取得部１１ｄは、検索結果を示す画像を表示するための画像信号を生成するよう、ＯＳＤ処理部１９を制御する。そして生成された画像信号を、外部接続端子２１を介してディスプレイ２へ出力する。これにより、確認画面２００がディスプレイ２に表示される。
【００６７】
図４は、検索結果を示す確認画面２００の一例である。図４に示すように確認画面２００には、メッセージウィンド２０１及びカーソル２０２が含まれている。ユーザは操作部１３を用いてカーソル２０２を移動させることにより、メッセージウィンド２０１に含まれる「はい」ボタン、または「いいえ」ボタンを選択できる。
【００６８】
「はい」ボタンにカーソル２０２があわせられている状態で操作部１３に含まれる決定ボタン（不図示）が押下されると、コンテンツ取得部１１ｄは、検索に成功したコンテンツをＣＳＰから取得して再生（例えばストリーミング再生）するよう、通信Ｉ／Ｆ２０及び信号処理部１８を制御する。
【００６９】
また図５は、検索に成功したコンテンツが複数存在する場合における、確認画面２００の一例である。図５に示すように、この状態の確認画面２００には、メッセージウィンド２０１の中に、検索された複数のコンテンツの一覧が表示されている。図５では、「コンテンツＡ」という題名のコンテンツが、第１０話から第１２話までの三話分だけ検索された例を示している。
【００７０】
図５の状態の確認画面２００においては、ユーザは操作部１３を用いてカーソル２０２を移動させて決定ボタンを押下することにより、複数のコンテンツの中から、取得して再生するコンテンツを選択できる。
【００７１】
また図６は、検索に失敗した場合における、確認画面３００の一例である。図６に示すように、確認画面３００には、メッセージウィンド３０１のみが表示されるようになっている。
【００７２】
なお、コンテンツの検索に成功した場合において、上記の確認画面２００を表示せず、検索されたコンテンツを自動再生するよう、コンテンツ取得部１１ｄが信号処理部１８を制御する形態でもよい。
【００７３】
また、検索されたコンテンツが複数存在する場合、各コンテンツの詳細を示す管理情報を取得し、管理情報に基づいて自動再生するコンテンツを決定する形態でもよい。例えば、管理情報にコンテンツの話数を示す情報が含まれている場合、話数が近いコンテンツを取得して自動再生する。
〈３．取得再生処理について〉
【００７４】
ここで、本発明の一実施形態に係るＨＤＤレコーダ１が実施する本発明の取得再生処理を、図３のフロー図を用いながら説明する。図３に示す処理は、ユーザが放送波に含まれるコンテンツを視聴している状態において、操作部１３に含まれるリモコン装置の所定キー（例えばサーチキー）の押下が検知された時点で開始される。
【００７５】
本処理の開始後、題名取得部１１ｃはステップＳ１１０において、ＥＰＧ取得部１１ａが取得するＥＰＧより、ユーザが視聴中のコンテンツに関するデータ、例えばコンテンツ情報を取得する。
【００７６】
次に題名取得部１１ｃはステップＳ１２０において、取得データより視聴中コンテンツの題名を判別する。なおここで判別する題名とは、コンテンツの題名そのもの（例えば映画であればその作品名）でもよいが、そのコンテンツを放送している放送番組名（例えば「夜のロードショー」）の題名を判別する形態でもよい。
【００７７】
次にコンテンツ取得部１１ｄはステップＳ１３０において、上記で判別された題名と同名のコンテンツ、または判別された題名を含むコンテンツを、所定のネットワークサービス（例えばＣＳＰ）より検索する。そしてステップＳ１４０において、検索に成功したか否かにより処理の分岐を行う。
【００７８】
検索に失敗した場合、コンテンツ取得部１１ｄはステップＳ１４１において、検索失敗を示す確認画面３００を表示する。検索に成功した場合、コンテンツ取得部１１ｄはステップＳ１５０において、図４または図５に示す確認画面２００を表示する。そしてコンテンツの取得及び再生を実施するか否かの指示を待ち受ける。
【００７９】
コンテンツの取得及び再生の実施指示を検知した場合、もしくは予めユーザ設定等により自動再生が設定されている場合、コンテンツ取得部１１ｄはステップＳ１６０において、検索されたコンテンツの取得及び再生（例えばストリーミング再生）を開始するよう、通信制御部１１ｂ及び信号処理部１８を制御する。これにより再生が開始されると、本処理を終了する。
【００８０】
以上に説明した本実施形態によれば、ユーザがコンテンツを視聴しており、且つその視聴が放送番組の途中から開始された場合等において、ユーザは操作部１３に含まれるサーチキーを押下するだけで、ネットワークサービスから同名コンテンツを取得し、コンテンツの最初から視聴を行うことが可能である。また、ドラマなどのように複数回にわたって放送されるようなコンテンツであれば、視聴中とは話数が異なるコンテンツを、ネットワークサービスから迅速に入手して視聴することが可能である。
［その他の実施の形態］
【００８１】
以上、好ましい実施の形態及び実施例を挙げて本発明を説明したが、本発明は必ずしも上記実施の形態に限定されるものではなく、その技術的思想の範囲内において様々に変形して実施することができる。
【００８２】
従って本発明は、以下の形態にも適用可能である。
【００８３】
（Ａ）上記実施形態では、本発明の画像音声装置の一例としてＨＤＤレコーダ１を例に挙げているが、起動処理を必要とする画像音声装置であれば、これ以外の装置において本発明を実施する形態でもよい。例えば、テレビジョン装置やＤＶＤレコーダ等を用いる形態であってもよい。
【００８４】
（Ｂ）上記実施形態では、本発明の取得再生処理に関わる各機能部が、マイクロプロセッサ等の演算処理装置上でプログラムを実行することにより実現されているが、各機能部が複数の回路により実現される形態でもよい。
【００８５】
（Ｃ）上記実施形態では、ステップＳ１１０において、視聴中コンテンツに関するコンテンツ情報をＥＰＧにより取得しているが、これ以外の方法によりコンテンツ情報を取得する形態でもよい。例えば通信部制御部１１ｂにより、通信網に接続された所定の情報処理装置よりコンテンツ情報を取得する形態でもよい。
【００８６】
（Ｄ）上記実施形態では、ユーザが放送波に含まれるコンテンツを視聴している状態において所定キー（サーチキー）が押下された場合に、図３の処理フローを実施しているが、これ以外の状態において所定キーが押下された場合に、図３の処理フローを実施する形態でもよい。状態の一例としては例えば、録画処理がなされている状態、ＨＤＤ１５に録画済みのコンテンツが再生されている状態、または光ディスドライブ１６に装着されたＤＶＤの再生を行っている状態があげられる。これにより例えば、録画時の受信状態が悪いことにより録画データにノイズが混入して視聴が困難である場合に、同名題名のコンテンツをネットワークから取得し、視聴することが可能である。また例えば、録画途中に所定キーが押されてコンテンツ情報及びコンテンツの取得が行われた場合、ユーザは録画の終了を待たずに、コンテンツを最初から視聴できる。
【００８７】
（Ｅ）上記実施形態では、デジタルテレビ放送により配信されるコンテンツを対象として、類似または関連するコンテンツの取得／再生処理を行っているが、デジタルテレビ放送ではなく光ディスクに含まれるコンテンツを対象として、類似または関連するデータの取得／再生処理を行う形態でもよい。
【００８８】
上述した実施形態の詳細について、図７のフロー図を用いて説明する。なお図７では、図３のフロー図と同様の処理については、同じステップ番号を付与することにより説明を省略するものとする。また、以下では光ディスクとしてＤＶＤ−ＲＯＭ及びＢＤ（Blu-ray Disc）−ＲＯＭを例示して説明を行う。
【００８９】
本実施形態の題名取得部１１ｃは、光ディスク用のファイルシステムであるＵＤＦ（Universal Disk Format）で規定されている情報から、コンテンツ名、または光ディスクの題名を取得する。
【００９０】
ＵＤＦにはいくつかのバージョンがあり、例えばＤＶＤ−ＲＯＭではＵＤＦ１．０２が、ＢＤ−ＲＯＭではＵＤＦ２．５が、採用されている。ＵＤＦの規格で定められているデータ構造には、Logical Volume Identifierという名称のデータ格納領域が存在する。
【００９１】
例えばＵＤＦ２．５の規格書である「Universal Disk Format Specification Revision2.50」によれば、この領域は可変長文字列を格納するための１２８バイトの領域であることが定められている。なお、Logical Volume Identifier は、ＵＤＦ１．０２、ＵＤＦ２．５に共通して存在する。
【００９２】
本実施形態の題名取得部１１ｃは、図７のステップＳ１１１において、光ディスクドライブ１６に装着された不図示の光ディスクの読み込みを行う。そして光ディスクに記録されているLogical Volume Identifierを参照し、文字列データを取得する。さらにステップＳ１２１において、取得した文字列データから、再生中のコンテンツ名、または光ディスクに付与されている題名を判別する。
【００９３】
次にコンテンツ取得部１１ｄはステップＳ１３０〜ステップＳ１５０において、光ディスクから取得した文字列データに基づいて、関連するコンテンツの取得を行う。例えば、光ディスクに「ドラマＡ」の第１話〜第５話が記録されている場合に、「ドラマＡ」の第６話以降のコンテンツがネットワーク配信されているか否かを、コンテンツ取得部１１ｄ及び通信制御部１１ｂにより検索する。
【００９４】
次にコンテンツ取得部１１ｄはステップＳ１６１において、ネットワークより取得した関連コンテンツをＨＤＤ１５に記録し、関連コンテンツの取得に成功したことを示す通知画像を出力するよう、ＯＳＤ処理部１９を制御する。これにより、ユーザに対して取得成功を通知する。なお、通知画像の表示において、取得した関連コンテンツの再生を行うか否かの選択画像を含め、ユーザからの選択操作を待ち受ける形態でもよい。
【００９５】
また、ネットワークから取得する情報としては、画像／音声を含む関連コンテンツに限定されるものではなく、例えばネットワーク上に存在する電子マーケットから、光ディスクに関連するマーケット情報を取得する形態でもよい。例えば、光ディスクに「映画Ｂ」が記録されている場合に、ステップＳ１１１で取得した文字列データから、「映画Ｂ」に関連するグッズや書籍等を検索して、ユーザに通知する形態でもよい。
【００９６】
また、題名取得部１１ｃが光ディスクから題名を取得する方法としては、ＵＤＦで定められているLogical Volume Identifierを参照する方法に限定されるものではない。例えば、他のディスクフォーマットにおいて規定されている所定のデータエリアを参照する態でもよい。或いは、ＭＰＥＧデータ等のデジタルデータに付与されているメタデータを参照する形態でもよい。
【００９７】
以上に説明した本実施形態によれば、市販の光ディスク等を所有するユーザが、この光ディスクに関連するコンテンツ、例えば続編や、話数の異なるコンテンツを容易に視聴することができる。また、ネットワーク上の電子マーケット等から、この光ディスクに関連するグッズや書籍等を容易に検索、購入することができる。
【符号の説明】
【００９８】
１      ＨＤＤレコーダ（画像音声装置）
１１    制御部
１１ａ  ＥＰＧ取得部（電子番組表取得部）
１１ｂ  通信制御部（通信部）
１１ｃ  題名取得部
１１ｄ  コンテンツ取得部（再生情報取得部）
１２    メモリ
１３    操作部
１４    フラッシュメモリ
１５    ＨＤＤ（記録部）
１６    光ディスクドライブ
１７    放送受信部
１８    信号処理部（再生処理部）
１９    ＯＳＤ処理部
２０    通信Ｉ／Ｆ（通信部）
２１    外部接続端子
【図１】
2013165477.tif 000003
【図２】
2013165477.tif 000004
【図３】
2013165477.tif 000005
【図４】
2013165477.tif 000006
【図５】
2013165477.tif 000007
【図６】
2013165477.tif 000008
【図７】
2013165477.tif 000009